【手続補正書】
【提出日】平成21年4月10日(2009.4.10)
【手続補正１】
【補正対象書類名】特許請求の範囲
【補正対象項目名】全文
【補正方法】変更
【補正の内容】
【特許請求の範囲】
【請求項１】
ＭＲＩの画像化のための方法であって、
該方法は、
−  画像を又は画像の一部を繰り返して獲得すること、これにより、前記造影剤へ時間変動する無線周波数の飽和パルスを適用することによって時間内に造影剤のコントラストの向上を故意に変調することを含み、該時間変動する無線周波数の飽和パルスは、知られた時間経過を有し、
−  その後に、各々の画像又は該画像の部分を別々に構築すること、及び
−  該別々に構築された画像から、各々の画像又は該画像の各々の部分の強度の時間経過を決定すること
：を含む、方法において、
該方法は、さらには、
−  与えられた画像ピクセル又は画像ボクセルにおける造影剤の存在を決定するために、画像ピクセル毎に又は画像ボクセル毎に、該適用された無線周波数の飽和パルスの知られた時間経過と該強度の時間経過を相関させること
：を含むことを特徴とする、方法。
【請求項２】
請求項１に記載の方法において、
画像の一部は、繰り返して獲得されると共に、
前記方法は、さらには、前記画像の各々の部分を別々に構築する前に、前記画像の全ての部分が繰り返して獲得されてしまうまで前記画像の一部の獲得を繰り返すことを含む、方法。
【請求項３】
前記造影剤は、核スピン及び核スピンの共鳴周波数を有すると共に第一の及び第二の交換可能な位置を有する少なくとも一つの交換可能な実体を含むと共に、前記時間変動する無線周波数の飽和パルスの結果として、前記交換可能な実体は、該第一の交換可能な位置から該第二の交換可能な位置まで変化し、これにより、それの核スピンの共鳴周波数における変化を誘起する、請求項１に記載の方法。
【請求項４】
前記造影剤は、ＣＥＳＴの造影剤である、請求項３に記載の方法。
【請求項５】
時間変動する無線周波数の飽和パルスを適用することは、前記コントラストの向上を変調するための該無線周波数の飽和パルスの間におけるパワー、オフセット周波数、形状、多重度、持続時間、又は区間の少なくとも一つを変動させることによって、行われる、請求項１に記載の方法。
【請求項６】
前記コントラストの向上を変調することは、前記コントラストの向上をオン及びオフに切り替えることを含む、請求項１に記載の方法。
【請求項７】
ＭＲＩの画像化を行うためのデバイスであって、
該デバイスは、
−  時間変動する無線周波数の飽和パルスの形成のためのパラメーターのデータを入力するための入力手段、
−  画像又は画像の一部の繰り返しての獲得の間に造影剤のコントラストの向上を変調するための時間変動する無線周波数の飽和パルスを適用するための手段、該時間変動する無線周波数の飽和パルスを適用するための手段が、該時間変動する無線周波数の飽和パルスが、入力としての該パラメーターのデータに基づくようなものであること、
−  各々の画像又は該画像の部分を別々に構築するための画像を発生させる手段、及び
−  各々の構築された画像又は該画像の部分の強度の時間経過を決定するための第一の計算する手段
：を含む、デバイスにおいて、
該デバイスは、さらには、
−  与えられた画像ピクセル又は画像ボクセルにおける造影剤の存在を決定するために、画像ピクセル毎に又は画像ボクセル毎に、該適用された時間変動する無線周波数の飽和パルスの該知られたパラメーターのデータと該決定された強度の時間経過を相関させるための第二の計算する手段
：を含むことを特徴とする、デバイス。
【請求項８】
前記第一の計算する手段及び前記第二の計算手段は、コンピューターの部分である、請求項７に記載のデバイス。
【請求項９】
処理デバイスにおいて実行されたとき、請求項１に記載の方法を行う、コンピュータープログラム。
【請求項１０】
請求項９に記載のコンピュータープログラムを記憶する機械で読み取り可能なデータ記憶デバイス。
【請求項１１】
ＭＲＩの画像化のデバイス用の制御器であって、
該制御器は、
−  時間変動する無線周波数の飽和パルスの形成に関係するデータを得るための手段、及び、
−  該得られたデータに従って造影剤へ時間変動する無線周波数の飽和パルスを適用するための手段を制御するための制御手段
を含む、制御器において、
該制御器は、さらには、
−  与えられた画像ピクセル又は画像ボクセルにおける造影剤の存在を決定するために、画像ピクセル毎に又は画像ボクセル毎に、該適用された時間変動する無線周波数の飽和パルスの知られたパラメーターのデータと決定された強度の時間経過を相関させるための計算する手段を制御するための制御手段
：を含むことを特徴とする、制御器。
【手続補正２】
【補正対象書類名】明細書
【補正対象項目名】００７５
【補正方法】変更
【補正の内容】
【００７５】
本発明に従ったデバイスについて、材料のみならず、好適な実施形態、具体的な構築物及び構成を、ここにおいて議論してきたとはいえ、形態及び細部における様々な変化又は変更が、本発明の範囲及び主旨から逸脱することなく、なされることがあることは、理解されることである。
［付記］
付記（１）：
患者の体の少なくとも一部の参照のＭＲＩの画像の少なくとも一部が獲得され且つ該患者の体の少なくとも一部のコントラストが向上させられたＭＲＩの画像の少なくとも一部が獲得されるタイプの造影剤の該患者への投与の後におけるＭＲＩの画像化のための方法であって、
該方法は、
−  該参照のＭＲＩの画像の少なくとも一部の獲得のために：該造影剤についての第一の外部の刺激を活性化させること、
−  該コントラストが向上させられたＭＲＩの画像の少なくとも一部の獲得のために：該造影剤についての第二の外部の刺激を活性化すること、及び
−  該コントラストが向上させられたＭＲＩの画像と該参照の画像との間における比較から該体の一部における造影剤の効果を決定すること
：を含む、方法。
付記（２）：
前記造影剤の効果を決定する前に、参照のＭＲＩの画像の一部の獲得及び前記コントラストが向上させられたＭＲＩの画像の一部の獲得を、前記画像の全ての部分が獲得されてしまうまで、繰り返すことをさらに含む、付記（１）に記載の方法。
付記（３）：
前記第一の外部の刺激は、第一のＲＦの飽和パルスを適用することを含み、且つ、前記第二の外部の刺激は、第二のＲＦの飽和パルスを適用することを含み、前記第一の及び第二のＲＦの飽和パルスは、前記ＲＦの飽和パルスのパワー、オフセット周波数、形状、多重度、区間の持続時間の少なくとも一つにおいて相互に異なる、付記（１）に記載の方法。
付記（４）：
該方法は、
−  画像を又は画像の一部を繰り返して獲得すること、これにより、前記造影剤へ時間変動する外部の刺激を適用することによって時間内に造影剤のコントラストの向上を故意に変調することを含み、該時間変動する外部の刺激は、知られた時間経過を有し、
−  その後に、各々の画像又は該画像の部分を別々に構築すること、
−  該別々に構築された画像から、各々の画像又は該画像の各々の部分の強度の時間経過を決定すること、及び、
−  該外部に適用された刺激の知られた時間経過と該強度の時間経過を相関させること、又は、該外部の刺激における変化の結果としての該コントラストの向上の動的な応答に影響する組織パラメーターを抽出するために該強度の時間経過を使用すること
：を含む、付記（１）に記載の方法。
付記（５）：
前記造影剤は、核スピン及び核スピンの共鳴周波数を有する少なくとも一つの交換可能な実体を含む、付記（１）に記載の方法。
付記（６）：
前記交換可能な実体は、第一の及び第二の交換可能な位置を有し、ＭＲＩの画像化の間に、前記交換可能な実体は、該第一の交換可能な位置から該第二の交換可能な位置まで変化し、これにより、それの核スピンの共鳴周波数における変化を誘起する、付記（５）に記載の方法。
付記（７）：
前記造影剤は、ＣＥＳＴの造影剤である、付記（５）に記載の方法。
付記（８）：
時間変動する外部の刺激を適用することは、ＲＦの飽和パルスを適用することによって、行われ、これにより、前記コントラストの向上を変調するための該ＲＦの飽和パルスのパワー、オフセット周波数、形状、多重度、持続時間、又は区間の少なくとも一つを変動させる、付記（４）に記載の方法。
付記（９）：
前記コントラストの向上を変調することは、前記コントラストの向上をオン及びオフに切り替えることを含む、付記（４）に記載の方法。
付記（１０）：
ＭＲＩの画像化を行うためのデバイスであって、
該デバイスは、
−  患者へ投与された造影剤のコントラストの向上を変調するための外部の刺激を適用するための手段、
−  該造影剤へ第一の外部の刺激を適用した後に該患者の体の少なくとも一部の参照のＭＲＩの画像の少なくとも一部を獲得するための且つ該造影剤へ第二の外部の刺激を適用した後に該患者の体の少なくとも一部のコントラストが向上させられたＭＲＩの画像の少なくとも一部を獲得するための手段、及び、
−  該コントラストが向上させられたＭＲＩの画像と該参照の画像との間における比較から該体の部分における造影剤の効果を決定するための計算する手段
：を含む、デバイス。
付記（１１）：
該デバイスは、
−  時間変動する外部の刺激の形成のためのパラメーターのデータを入力するための入力手段、
−  該時間変動する外部の刺激が、入力としての該パラメーターのデータに基づくようなものである、造影剤のコントラストの向上を変調するための時間変動する外部の刺激を適用するための手段、
−  各々の画像又は該画像の部分を別々に構築するための画像を発生させる手段、
−  各々の構築された画像又は該画像の部分の強度の時間経過を決定するための第一の計算する手段、及び、
−  該外部に適用された時間変動する刺激の該知られたパラメーターのデータと該決定された強度の時間経過を相関させるための又は該外部の刺激における変化の結果としての該コントラストの向上の動的な応答に影響する組織パラメーターを抽出するために該決定された強度の時間経過を使用するための第二の計算する手段
：を含む、付記（１０）に記載のデバイス。
付記（１２）：
前記時間変動する外部の刺激を適用するための手段は、時間変動するＲＦの飽和パルスを適用するためのＲＦパルスを発生させる手段である、付記（１１）に記載のデバイス。
付記（１３）：
前記第一の計算する手段及び前記第二の計算手段は、コンピューターの部分である、付記（１１）に記載のデバイス。
付記（１４）：
処理デバイスにおいて実行されたとき、付記（１）に記載の方法を行う、コンピュータープログラム。
付記（１５）：
付記（１４）に記載のコンピュータープログラムを記憶する機械で読み取り可能なデータ記憶デバイス。
付記（１６）：
ＭＲＩの画像化のデバイス用の制御器であって、該制御器は、
−  時間変動する外部の刺激の形成に関係するデータを得るための手段、及び、
−  該得られたデータに従って造影剤へ時間変動する外部の刺激を適用するための手段を制御するための制御手段
を含む、制御器。